【事件の表示】
　平成７年特許願第５０２７５６号「洗浄性が向上したカミソリヘッド」拒絶査定不服審判事件〔平成７年２月２３日国際公開、ＷＯ９５／０５２７２、平成９年２月４日国内公表、特表平９−５０１０７６〕について、次のとおり審決する。
【結　論】
　本件審判の請求は、成り立たない。
【理　由】
１．手続の経緯・本願発明
　本願は、平成５年８月１６日を国際出願日とする出願であって、その請求項１〜１７に係る発明は、平成１７年４月２０日付け手続補正書の特許請求の範囲の請求項１〜１７に記載されたとおりのものと認められるところ、請求項１に係る発明（以下、「本願発明」という。）は次のとおりのものである。
「可撓性の上方刃（２０″）、可撓性の下方刃（３０″）、および連続する単一の熱可塑性部材として形成された可撓性の刃支持体から成り、該刃支持体は、前記下方刃の下面を支持する少なくとも１つのプラットフォームと、前記下方刃を前記プラットフォームとの間に固定し、かつ、前記上方刃の下面を支持する少なくとも１つのスペーサと、前記上方刃を前記スペーサとの間に固定する少なくとも１つのリテーナと、を有する２枚刃可撓性カミソリヘッドにおいて、
　前記上方刃および下方刃は、それぞれ、支持されない上面と支持されない下面とを刃縁部分に有し、前記支持されない上面の長さは前記支持されない下面の長さに等しく、かつ、前記上方刃の前記支持されない上面および下面の長さ（Ｘ２）は前記下方刃の前記支持されない上面および下面の長さ（Ｘ１）にほぼ等しくなるように、前記プラットフォーム、前記スペーサ、及び前記リテーナが、それぞれ一体的に形成された前方延長部（ａ、ｂ、ｃ）を有し、それにより、前記両刃は衝撃力を受けた時、前記両刃の振動が同期し、前記両刃の間の間隔がほぼ一定に保たれるようになされたことを特徴とする可撓性カミソリヘッド。」
　
２．刊行物記載の発明（事項）
　当審の通知した拒絶の理由で引用され、本願の出願前に国内で頒布された刊行物である特開平４−２４０４７１号公報（以下、「刊行物１」という。）及び特公昭５８−３８１９５号公報（以下、「刊行物２」という。）には、以下の事項が記載されている。
（１）刊行物１
（１−１）段落【０００４】〜【００１４】
「【０００４】
【実施例】
　本発明は、刃を除く全ての要素が単一部品として形成される、一体成形の可撓性かみそり頭部を含む。・・・
【０００５】
　図１は、本発明の望ましい一実施例を図解し、可撓性かみそり頭部１０が、上刃２０、下刃３０、区分された複数の保持部材４０・・・を含む。・・・
【０００６】
　・・・刃台７０およびスペーサ１００と一体に形成される保持部材４０はそれにより刃の垂直方向位置を保つ。
【０００７】
　・・・
【０００８】
　・・・上側方部分８１は上刃２０の上方に隣接して配置されて、上刃をスペーサ１００に当てて保持すると共に、可撓かみそり頭部１０の側方部分に沿う刃幾何学形態を制御する。・・・下刃３０の下面は複数の刃台７０によって支持され、刃台は波形部６０と一体に形成され、各々が下刃３０に隣接するほぼ平らな上部７６を有することが望ましい。
【０００９】
　図９および図１０に示すように、スペーサ１００は、各保持部材４０の近くに、上刃２０と下刃３０の間に設けられるのが望ましい。スペーサ１００は、対応する刃保持部材４０と刃台７０の幅のほぼ中央に配置されるのが望ましい。・・・図１１に、より明らかに示すように、スペーサ１００は刃保持部材４０と一体に形成される。
　刃の支持材の可撓性を増すために、可撓かみそり頭部１０には、隣接する刃台７０の間に波形部６０が設けられる。波形部６０は保持部材４０と一体に形成される。図３の１０−１０線に沿う断面図である図１０に、刃台７０の両側の波形部６０の配置が示される。波形部６０は、丸い下辺部をもつほぼＵ字形に形成されるか、または２個の垂直側壁と、その垂直側壁をつなぐ下方水平部分とをもって形成されることができる。本発明の範囲を逸脱することなく、他の形状も可能である。波形部６０により、可撓性かみそり頭部１０の撓み中に、隣り合せの刃台７０間の相対的運動が可能となる。波形部６０によって連結される、区分された刃台７０の使用により、刃台７０の上方支持表面と下刃３０の下面との間の分離の可能性は少なくなる。かくして、ひげそり中に生ずる撓みの間にも、可撓性かみそり頭部１０に沿う各点において正しい刃幾何学形態が保たれる。
【００１０】
　・・・
【００１１】
　・・・
【００１２】
　・・・
【００１３】
　・・・さらに、あとで詳述するような仕方で、左方の位置決め穴３８はまた幾らかの熱塑性材も受承し、これも下刃３０を対応する刃台７０に結合する傾向がある。対照的に、上刃２０は長円形右方位置決め穴２９を通して熱塑性材を受承するが、左方位置決め穴２８ではそれはない。　かみそり頭部１０は射出成形によって形成することが望ましく、先ず下刃３０を型の中に入れ、型キャビティの底から延在する位置決めピンを穴３８、３９に通す。次に、下刃３０の上面に型キャビティ・スペーサを配置してから、上刃２０を同じ位置決めピン上に配置し、位置決め穴２８、２９を通させる。図示のように、各刃に１個の長円形位置決めピンを設けることにより、ピンに刃２０、３０をはめることが容易になる。両刃の間に配置された型部材は、熱塑性材が最終的に入って欲しくない個所に該材料が流れ込むのを防ぐことを意図している。
【００１４】
　次に型を閉じて、ポリプロピレンのような熱塑性材を型キャビティの中に射出して、かみそり頭部１０を形成させる。・・・」
（１−２）図９、１１から、
「上刃２０および下刃３０は、それぞれ、支持されない上面と支持されない下面とを刃縁部分に有し、前記支持されない上面の長さは前記支持されない下面の長さより長いこと」が看取し得る。
　上記の記載事項からみて、刊行物１には、次の発明（以下、「刊行物１記載の発明」という。）が記載されていると認められる。
「上刃２０、下刃３０、および、刃を除く全ての要素がポリプロピレンにような熱塑性部の射出成型によって単一部品として形成される可撓性の刃支持体から成り、該刃支持体は、下刃の下面を支持する複数の刃台７０と、上刃と下刃の間に設けられ、刃保持部材４０と一体に形成されるスペーサ１００と、刃台と一体に形成されて上刃の上面の上方に隣接する位置まで延在する複数の刃保持部材４０と、を有する可撓性かみそり頭部１０において、
　前記上刃２０および下刃３０は、それぞれ、支持されない上面と支持されない下面とを刃縁部分に有し、前記支持されない上面の長さは前記支持されない下面の長さより長い可撓性かみそり頭部１０。」
　
（２）刊行物２
（２−１）第２欄３５行〜３７行
「１１はホルダ１２の上端に対し一体に成型された基台であつて、その上面周囲には左右両側枠１３、前枠１４及び後枠１５が形成されている。」
（２−２）第３欄４３行〜４４行
「３１は・・・刃台であって、・・・」
（２−３）第４欄１６行〜１７行
「３８は前記刃台３１の上面に固定される下刃体であつて、前端縁を刃縁３９とする・・・」
（２−４）第４欄２８行〜３０行
「４３は前記下刃体３８の上面と摺動可能に当接し、かつ、前記基台１１に固定される全体としてほぼ四角形状をなすスペーサであって、・・・」
（２−５）第５欄１３行〜２５行
「５０は同スペーサ４３の前面４３ａ下部を第７図ａ，ｂに示すように一体状に前方へ延出させて形成したカバー片であつて、同スペーサ４３の前側面を断面段差状に形成している。なお、この実施例では、カバー片５０の前方へ延出させる幅Ｄ３は第７図ａにおいて、後記する上刃体５１の刃縁５２から天板５４の前縁５７ａまでの幅Ｄ４と、前記下刃体３８の刃縁３９から同カバー片５０の前縁５０ａまでの幅Ｄ５とが等しくなるようにしている。
　５１は前記スペーサ４３の上面に摺動可能に当接され、前記刃台３１に対して連結される上刃体であつて、前端縁を刃縁５２とするとともに・・・」
（２−６）第５欄３６行〜３９行
「５４は前記基台１１との間に前記上下両刃体５１，３８を固定した刃台３１を・・・基台１１に対して固定される天板であつて、・・・」
（２−７）第７図ａから、
「天板５４の前縁５７ａとスペーサ４３の前縁４３ａとが面一であり、また、スペーサ４３に形成されているカバー片５０の前縁５０ａと基台１１に形成されている前枠１４の前面とが面一であること」が看取し得る。
　上記の記載事項からみて、刊行物２には次の事項（以下、「刊行物２記載の事項」という。）が記載されていると認められる。
「２枚刃カミソリヘッドにおいて、上刃体５１および下刃体３８は、それぞれ、支持されない上面と支持されない下面とを刃縁部分に有し、前記支持されない上面の長さは前記支持されない下面の長さに等しく、かつ、前記上刃体５１の前記支持されない上面および下面の長さＤ４は前記下刃体３８の前記支持されない上面および下面の長さＤ５に等しくなるように、天板５４の長さが設けられ、スペーサ４３が、一体的に形成され前方へ延出されるカバー片５０を有し、刃台３１の前方に基台１１の前枠１４が配置される構造」
　
３．対比
　本願発明と上記刊行物１記載の発明とを対比すると、後者の「上刃２０」が前者の「可撓性の上方刃２０″」に、後者の「下刃３０」が前者の「可撓性の下方刃３０″」に、後者の「刃を除く全ての要素がポリプロピレンにような熱塑性部の射出成型によって単一部品として形成される」が前者の「連続する単一の熱可塑性部材として形成された」に、後者の「下刃の下面を支持する複数の刃台７０」が前者の「下方刃の下面を支持する少なくとも１つのプラットフォーム」に、後者の「上刃と下刃の間に設けられ、刃保持部材４０と一体に形成されるスペーサ１００」が前者の「下方刃をプラットフォームとの間に固定し、かつ、上方刃の下面を支持する少なくとも１つのスペーサ」に、後者の「刃台と一体に形成されて上刃の上面の上方に隣接する位置まで延在する複数の刃保持部材４０」が前者の「上方刃をスペーサとの間に固定する少なくとも１つのリテーナ」に、後者の「可撓性かみそり頭部１０」が前者の「２枚刃可撓性カミソリヘッド」に、それぞれ相当することは、それらの構造、機能から明らかである。
　そうすると、両者の一致点及び相違点は、以下のとおりである。
〈一致点〉「可撓性の上方刃、可撓性の下方刃、および連続する単一の熱可塑性部材として形成された可撓性の刃支持体から成り、該刃支持体は、前記下方刃の下面を支持する少なくとも１つのプラットフォームと、前記下方刃を前記プラットフォームとの間に固定し、かつ、前記上方刃の下面を支持する少なくとも１つのスペーサと、前記上方刃を前記スペーサとの間に固定する少なくとも１つのリテーナと、を有する２枚刃可撓性カミソリヘッドにおいて、前記上方刃および下方刃は、それぞれ、支持されない上面と支持されない下面とを刃縁部分に有」する点。
〈相違点〉本願発明は、上方刃および下方刃の、支持されない上面の長さが支持されない下面の長さに等しく、かつ、前記上方刃の前記支持されない上面および下面の長さが前記下方刃の前記支持されない上面および下面の長さにほぼ等しくなるように、プラットフォーム、スペーサ、及びリテーナが、それぞれ一体的に形成された前方延長部を有し、それにより、前記両刃は衝撃力を受けた時、前記両刃の振動が同期し、前記両刃の間の間隔がほぼ一定に保たれるのに対して、刊行物１記載の発明は、上方刃および下方刃の、支持されない上面の長さが支持されない下面の長さより長く、また、両刃の振動特性に関して明らかではない点。
　
４．当審の判断
　そこで、上記相違点について、以下検討する。
　刊行物２記載の「上刃体５１」は本願発明の「上方刃」に相当し、以下同様にして、「下刃体３８」は「下方刃」に、「天板５４」は「リテーナ」に、「スペーサ４３」は「スペーサ」に、「カバー片５０」はスペーサに「一体的に形成された前方延長部」に、「刃台３１」は「プラットフォーム」に、それぞれ相当するから、刊行物２には、
「２枚刃カミソリヘッドにおいて、上方刃および下方刃は、それぞれ、支持されない上面と支持されない下面とを刃縁部分に有し、前記支持されない上面の長さは前記支持されない下面の長さに等しく、かつ、前記上方刃の前記支持されない上面および下面の長さは前記下方刃の前記支持されない上面および下面の長さに等しくなるように、リテーナの長さが設けられ、スペーサが一体的に形成された前方延長部を有し、プラットフォームの前方に基台１１の前枠１４が配置される構造」が記載されていると言える。
　そして、上記刊行物２記載の構造は、刊行物１記載の発明と同一の技術分野である「２枚刃カミソリヘッド」に属するものであるから、刊行物１記載の発明に刊行物２記載の構造を適用すること、また、その際に、上方刃の支持されない上面および下面の長さが下方刃の支持されない上面および下面の長さに等しくするために、リテーナ及びプラットフォームを、刊行物２記載のスペーサのように、それらと一体的に形成された前方延長部を有する構造とすることは、当業者が容易になし得ることであり、しかも、そのようにすることを妨げる特段の事情を見出せない。
　ところで、上記のようにすれば、上方刃及び下方刃が衝撃力を受けた時、当該両刃の振動が同期し、両刃の間の間隔がほぼ一定に保たれることは、上方刃の遊離端構造と下方刃の遊離端構造とが同一になることからみて、自明である。
　そして、本願発明の作用効果は、刊行物１記載の発明及び刊行物２記載の事項から当業者が予測可能な範囲内のものであって、格別のものではない。
　
５．むすび
  以上のとおりであるから、本願発明は、刊行物１記載の発明及び刊行物２記載の事項に基づいて当業者が容易に発明をすることができたものであるから、特許法第２９条第２項の規定により特許を受けることができない。
　よって、請求項２〜１７に係る発明について検討するまでもなく、結論のとおり審決する。